【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
回転可能に設けられた像担持体を有する像担持体ユニットと、
前記像担持体に向けて付勢される現像剤担持体を有し、連結部により前記像担持体ユニットに回動可能に連結された現像ユニットと、
を備え、画像形成装置の装置本体に着脱可能なプロセスカートリッジにおいて、
前記連結部は、前記像担持体の軸線方向における前記プロセスカートリッジの一端側にて、前記像担持体ユニットおよび前記現像ユニットのいずれか一方のユニットに設けられた軸と、前記一端側にて前記像担持体ユニットおよび前記現像ユニットの内の他方のユニットに設けられ、前記軸と当接する係合部と、を有し、
前記係合部は、前記軸と当接して、前記現像ユニットを前記像担持体ユニットに対して回動可能にする第１当接部と、前記軸が相対的に摺接移動可能であり、かつ前記第１当接部が前記軸から受ける垂直抗力Ａの方向に対し傾いた方向の垂直抗力Ｂを前記軸から受ける第２当接部であって、前記軸と当接したときに前記現像ユニットを前記軸と前記第１当接部が当接する位置に前記像担持体ユニットに対し相対移動させる第２当接部と、を有し、
前記第１当接部および前記第２当接部が連続した曲面であることを特徴とするプロセスカートリッジ。
【請求項２】
回転可能に設けられた像担持体を有する像担持体ユニットと、
前記像担持体に向けて付勢される現像剤担持体を有し、連結部により前記像担持体ユニットに回動可能に連結された現像ユニットと、
を備え、画像形成装置の装置本体に着脱可能なプロセスカートリッジにおいて、
前記連結部は、前記像担持体の軸線方向における前記プロセスカートリッジの一端側にて、前記像担持体ユニットおよび前記現像ユニットのいずれか一方のユニットに設けられた軸と、前記一端側にて前記像担持体ユニットおよび前記現像ユニットの内の他方のユニットに設けられ、前記軸と当接する係合部と、を有し、
前記係合部は、前記軸と当接して、前記現像ユニットを前記像担持体ユニットに対して回動可能にする第１当接部と、前記軸が相対的に摺接移動可能であり、かつ前記第１当接部が前記軸から受ける垂直抗力Ａの方向に対し傾いた方向の垂直抗力Ｂを前記軸から受ける第２当接部であって、前記軸と当接したときに前記現像ユニットを前記軸と前記第１当接部が当接する位置に前記像担持体ユニットに対し相対移動させる第２当接部と、を有し、
前記第１当接部に対して前記第２当接部が傾いていることを特徴とするプロセスカートリッジ。
【請求項３】
前記軸線方向における前記プロセスカートリッジの他端側にて、前記像担持体に設けられた第１のギアと、
前記他端側にて、前記現像剤担持体に設けられ、前記第１のギアと噛み合って駆動力を受ける第２のギアと、
を備えることを特徴とする請求項１または２に記載のプロセスカートリッジ。
【請求項４】
前記第２当接部は、前記第１当接部に沿って前記軸が相対移動する方向において、前記第１当接部の両端側にそれぞれ配置されていることを特徴とする請求項１乃至３のいずれか１項に記載のプロセスカートリッジ。
【請求項５】
前記第１当接部の両端側にそれぞれ配置された２つの前記第２当接部は、一方の第２当接部が前記軸から受ける垂直効力Ｂと、他方の第２当接部が前記軸から受ける垂直効力Ｂが互いに離れる方向を向くように構成されていることを特徴とする請求項４に記載のプロセスカートリッジ。
【請求項６】
前記第２当接部は、前記第１当接部に沿って前記軸が相対移動する方向において前記第１当接部の一端側のみに配置されることを特徴とする請求項１乃至３のいずれか１項に記載のプロセスカートリッジ。
【請求項７】
前記第１当接部と前記第２当接部は、前記垂直抗力Ａと前記垂直抗力Ｂが互いに離れる方向を向くように構成されていることを特徴とする請求項１乃至６のいずれか１項に記載のプロセスカートリッジ。
【請求項８】
前記軸と当接した前記第２当接部は、前記プロセスカートリッジが前記装置本体に装着され、かつ前記装置本体より前記像担持体と前記現像剤担持体への駆動力を受けない状態において、前記現像ユニットを、前記軸と前記第１当接部が当接する位置に前記像担持体ユニットに対し相対移動させることを特徴とする請求項１乃至７のいずれか１項に記載のプロセスカートリッジ。
【請求項９】
前記現像剤担持体を前記像担持体に対して付勢する付勢部材を備えることを特徴とする請求項１乃至８のいずれか１項に記載のプロセスカートリッジ。
【請求項１０】
記録媒体に画像を形成する画像形成装置において、
請求項１乃至９のいずれか１項に記載のプロセスカートリッジと、
前記プロセスカートリッジを、画像形成するための位置に取り外し可能に支持する支持手段と、
を備え、
前記支持手段は、前記プロセスカートリッジを、前記軸と当接した前記第２当接部に、前記現像ユニットを前記軸と前記第１当接部が当接する位置に移動させる力を生じさせる姿勢に支持することを特徴とする画像形成装置。
【手続補正２】
【補正対象書類名】明細書
【補正対象項目名】００１０
【補正方法】変更
【補正の内容】
【００１０】
上記の課題を解決するための本発明に係るプロセスカートリッジの代表的な構成は、回転可能に設けられた像担持体を有する像担持体ユニットと、前記像担持体に向けて付勢される現像剤担持体を有し、連結部により前記像担持体ユニットに回動可能に連結された現像ユニットと、備え、画像形成装置の装置本体に着脱可能なプロセスカートリッジにおいて、前記連結部は、前記像担持体の軸線方向における前記プロセスカートリッジの一端側にて、前記像担持体ユニットおよび前記現像ユニットのいずれか一方のユニットに設けられた軸と、前記一端側にて前記像担持体ユニットおよび前記現像ユニットの内の他方のユニットに設けられ、前記軸と当接する係合部と、を有し、前記係合部は、前記軸と当接して、前記現像ユニットを前記像担持体ユニットに対して回動可能にする第１当接部と、前記軸が相対的に摺接移動可能であり、かつ前記第１当接部が前記軸から受ける垂直抗力Ａの方向に対し傾いた方向の垂直抗力Ｂを前記軸から受ける第２当接部であって、前記軸と当接したときに前記現像ユニットを前記軸と前記第１当接部が当接する位置に前記像担持体ユニットに対し相対移動させる第２当接部と、を有し、前記第１当接部および前記第２当接部が連続した曲面であることを特徴とする。また本発明に係る別の構成は、回転可能に設けられた像担持体を有する像担持体ユニットと、前記像担持体に向けて付勢される現像剤担持体を有し、連結部により前記像担持体ユニットに回動可能に連結された現像ユニットと、備え、画像形成装置の装置本体に着脱可能なプロセスカートリッジにおいて、前記連結部は、前記像担持体の軸線方向における前記プロセスカートリッジの一端側にて、前記像担持体ユニットおよび前記現像ユニットのいずれか一方のユニットに設けられた軸と、前記一端側にて前記像担持体ユニットおよび前記現像ユニットの内の他方のユニットに設けられ、前記軸と当接する係合部と、を有し、前記係合部は、前記軸と当接して、前記現像ユニットを前記像担持体ユニットに対して回動可能にする第１当接部と、前記軸が相対的に摺接移動可能であり、かつ前記第１当接部が前記軸から受ける垂直抗力Ａの方向に対し傾いた方向の垂直抗力Ｂを前記軸から受ける第２当接部であって、前記軸と当接したときに前記現像ユニットを前記軸と前記第１当接部が当接する位置に前記像担持体ユニットに対し相対移動させる第２当接部と、を有し、前記第１当接部に対して前記第２当接部が傾いていることを特徴とする。